(57)【特許請求の範囲】
【請求項１】
車両内において、携帯端末機に対してデータの読み書きを行うリーダライタ装置を介して、携帯端末機の端末ＩＤ（ＩＤｅｎｔｉｆｉｅｒ）を取得し、取得した端末ＩＤと当該車両を特定する車両情報とを含むＵＲＬ（Ｕｎｉｆｏｒｍ  Ｒｅｓｏｕｒｃｅ  Ｌｏｃａｔｏｒ）をＩＤ−ＵＲＬとして前記携帯端末機に出力する車両内サーバ装置と、
前記ＩＤ−ＵＲＬを用いてインターネットに通信接続する携帯端末機に前記端末ＩＤと前記車両情報とに対応するコンテンツを示すウェブページを送信する地上系サーバ装置とを有し、
前記車両内サーバ装置は、
前記リーダライタ装置を介して端末ＩＤを取得する端末ＩＤ取得部と、
前記車両情報と前記端末ＩＤ取得部により取得された端末ＩＤとを含めて前記ＩＤ−ＵＲＬをＣＰＵ（Ｃｅｎｔｒａｌ  Ｐｒｏｃｅｓｓｉｎｇ  Ｕｎｉｔ）を用いて生成するＵＲＬ生成部と、
前記ＵＲＬ生成部により生成されたＩＤ−ＵＲＬを前記リーダライタ装置を介して前記携帯端末機に出力するＵＲＬ出力部と
を備え、
前記地上系サーバ装置は、
前記ＩＤ−ＵＲＬを用いてインターネットに通信接続する携帯端末機に特定のウェブページを送信するウェブ通信部と、
コンテンツと端末ＩＤとが対応付けられているＩＤ対応情報と、コンテンツと車両情報とが対応付けられている車両対応情報とを記憶機器を用いて記憶する対応コンテンツ情報記憶部と、
複数のコンテンツを記憶機器を用いて記憶するコンテンツ記憶部と、
前記対応コンテンツ情報記憶部に記憶される前記ＩＤ対応情報と前記対応コンテンツ情報記憶部に記憶される前記車両対応情報とに基づいて、前記ＩＤ−ＵＲＬに含まれる端末ＩＤと前記ＩＤ−ＵＲＬに含まれる車両情報とに対応するコンテンツを、前記コンテンツ記憶部に記憶される複数のコンテンツの中からＣＰＵを用いて選択するコンテンツ選択部と、
前記コンテンツ選択部により選択されたコンテンツを示すウェブページをＣＰＵを用いて生成し、生成したウェブページを前記携帯端末機に対して前記ウェブ通信部に送信させるウェブ生成部と
を備え、
前記車両内サーバ装置は、複数の車両が連結された列車の少なくともいずれかの車両に設置され、
前記車両内サーバ装置において、
前記ＵＲＬ生成部は、列車の次の停車駅を示す情報を前記車両情報に含めて前記ＩＤ−ＵＲＬを生成し、
前記地上系サーバ装置において、
前記対応コンテンツ情報記憶部に記憶される前記車両対応情報は、各駅の情報を示すコンテンツを次の停車駅に対応付けて示し、
前記コンテンツ選択部は、前記ＩＤ−ＵＲＬと前記車両対応情報とに基づいて、当該列車の次の停車駅の情報を示すコンテンツを選択し、
前記ウェブ生成部は、前記コンテンツ選択部により選択されたコンテンツを示すウェブページを生成し、生成したウェブページを前記携帯端末機に対して前記ウェブ通信部に送信させる
ことを特徴とする情報配信システム。
【請求項２】
車両内において、携帯端末機に対してデータの読み書きを行うリーダライタ装置を介して、携帯端末機の端末ＩＤ（ＩＤｅｎｔｉｆｉｅｒ）を取得し、取得した端末ＩＤと当該車両を特定する車両情報とを含むＵＲＬ（Ｕｎｉｆｏｒｍ  Ｒｅｓｏｕｒｃｅ  Ｌｏｃａｔｏｒ）をＩＤ−ＵＲＬとして前記携帯端末機に出力する車両内サーバ装置と、
前記ＩＤ−ＵＲＬを用いてインターネットに通信接続する携帯端末機に前記端末ＩＤと前記車両情報とに対応するコンテンツを示すウェブページを送信する地上系サーバ装置とを有し、
前記車両内サーバ装置は、
前記リーダライタ装置を介して端末ＩＤを取得する端末ＩＤ取得部と、
前記車両情報と前記端末ＩＤ取得部により取得された端末ＩＤとを含めて前記ＩＤ−ＵＲＬをＣＰＵ（Ｃｅｎｔｒａｌ  Ｐｒｏｃｅｓｓｉｎｇ  Ｕｎｉｔ）を用いて生成するＵＲＬ生成部と、
前記ＵＲＬ生成部により生成されたＩＤ−ＵＲＬを前記リーダライタ装置を介して前記携帯端末機に出力するＵＲＬ出力部と
を備え、
前記地上系サーバ装置は、
前記ＩＤ−ＵＲＬを用いてインターネットに通信接続する携帯端末機に特定のウェブページを送信するウェブ通信部と、
コンテンツと端末ＩＤとが対応付けられているＩＤ対応情報と、コンテンツと車両情報とが対応付けられている車両対応情報とを記憶機器を用いて記憶する対応コンテンツ情報記憶部と、
複数のコンテンツを記憶機器を用いて記憶するコンテンツ記憶部と、
前記対応コンテンツ情報記憶部に記憶される前記ＩＤ対応情報と前記対応コンテンツ情報記憶部に記憶される前記車両対応情報とに基づいて、前記ＩＤ−ＵＲＬに含まれる端末ＩＤと前記ＩＤ−ＵＲＬに含まれる車両情報とに対応するコンテンツを、前記コンテンツ記憶部に記憶される複数のコンテンツの中からＣＰＵを用いて選択するコンテンツ選択部と、
前記コンテンツ選択部により選択されたコンテンツを示すウェブページをＣＰＵを用いて生成し、生成したウェブページを前記携帯端末機に対して前記ウェブ通信部に送信させるウェブ生成部と
を備え、
前記車両内サーバ装置は、複数の車両が連結された列車の少なくともいずれかの車両に設置され、
前記車両内サーバ装置において、
前記ＵＲＬ生成部は、列車の運行に遅延が発生している場合、列車の運行に遅延が発生していることを示す遅延フラグを前記車両情報に含めて前記ＩＤ−ＵＲＬを生成し、
前記地上系サーバ装置において、
前記ウェブ生成部は、前記ＩＤ−ＵＲＬに含まれる遅延フラグに基づいて、遅延証明に用いられるコンテンツを示すウェブページを生成し、生成したウェブページを前記携帯端末機に対して前記ウェブ通信部に送信させる
ことを特徴とする情報配信システム。
【請求項３】
前記地上系サーバ装置の前記コンテンツ選択部は、
前記ＩＤ−ＵＲＬに含まれる前記車両情報に対応するコンテンツのうち、前記ＩＤ−ＵＲＬに含まれる前記端末ＩＤに対応するコンテンツを選択する
ことを特徴とする請求項１または請求項２記載の情報配信システム。
【請求項４】
前記車両内サーバ装置は、複数の広告が表示される複数の車両が連結された列車の少なくともいずれかの車両に設置され、
前記車両内サーバ装置において、
前記ＵＲＬ生成部は、複数の車両のうち携帯端末機から端末ＩＤを読み取ったリーダライタ装置が設置されている端末ＩＤ読取車両を特定する情報を前記車両情報に含めて前記ＩＤ−ＵＲＬを生成し、
前記地上系サーバ装置において、
前記対応コンテンツ情報記憶部に記憶される前記車両対応情報は、車両に表示される広告のコンテンツを車両毎に示し、
前記コンテンツ選択部は、前記ＩＤ−ＵＲＬと前記車両対応情報とに基づいて、前記端末ＩＤ読取車両内に表示される広告のコンテンツを選択し、
前記ウェブ生成部は、前記コンテンツ選択部により選択された広告のコンテンツを示すウェブページを生成し、生成したウェブページを前記携帯端末機に対して前記ウェブ通信部に送信させることを特徴とする請求項１から請求項３いずれかに記載の情報配信システム。
【請求項５】
前記車両内サーバ装置は、時間帯に応じて異なる複数の広告を表示する表示機を各車両内に備える列車に設置され、
前記車両内サーバ装置において、
前記ＵＲＬ生成部は、リーダライタ装置により携帯端末機から端末ＩＤが読み取られた端末ＩＤ読取時刻を前記車両情報に含めて前記ＩＤ−ＵＲＬを生成し、
前記地上系サーバ装置において、
前記対応コンテンツ情報記憶部に記憶される前記車両対応情報は、表示機に表示される広告のコンテンツを、当該広告が表示機に表示される車両と当該広告が表示機に表示される時間帯とに対応付けて示し、
前記コンテンツ選択部は、前記ＩＤ−ＵＲＬと前記車両対応情報とに基づいて、前記端末ＩＤ読取車両内の表示機で前記端末ＩＤ読取時刻に表示される広告のコンテンツを選択し、
前記ウェブ生成部は、前記コンテンツ選択部により選択された広告のコンテンツを示すウェブページを生成し、生成したウェブページを前記携帯端末機に対して前記ウェブ通信部に送信させる
ことを特徴とする請求項４記載の情報配信システム。
【発明の詳細な説明】
【技術分野】
【０００１】
本発明は、例えば、列車内の乗客の携帯端末に、乗車中の列車および乗客の嗜好に対応する情報を配信する情報配信システムに関するものである。
【背景技術】
【０００２】
特許文献１には、ＩＣカード付き乗車券情報、Ｅ−ｍａｉｌ、ユーザの嗜好をサーバに事前に登録し、ユーザが自動改札機を通ると、その場所に応じたコンテンツが配信されるということが開示されている（特許文献１）。
また、特許文献２には、車両内の端末装置に対して近距離無線通信によって配信コンテンツを提供する車内情報配信システムが開示されている（特許文献２）。
【特許文献１】特願２００３−２１６０８１号公報
【特許文献２】特開２００６−０５４５５８号公報
【発明の開示】
【発明が解決しようとする課題】
【０００３】
本発明は、例えば、全ての列車で配信情報およびユーザ情報を管理しなくても、列車内の乗客の携帯端末に、乗車中の列車および乗客の嗜好に対応する情報を配信できるようにすることを目的とする。
【課題を解決するための手段】
【０００４】
本発明の情報配信システムは、車両内において、携帯端末機に対してデータの読み書きを行うリーダライタ装置を介して、携帯端末機の端末ＩＤ（ＩＤｅｎｔｉｆｉｅｒ）を取得し、取得した端末ＩＤと当該車両を特定する車両情報とを含むＵＲＬ（Ｕｎｉｆｏｒｍ  Ｒｅｓｏｕｒｃｅ  Ｌｏｃａｔｏｒ）をＩＤ−ＵＲＬとして前記携帯端末機に出力する車両内サーバ装置と、前記ＩＤ−ＵＲＬを用いてインターネットに通信接続する携帯端末機に前記端末ＩＤと前記車両情報とに対応するコンテンツを示すウェブページを送信する地上系サーバ装置とを有する。
【発明の効果】
【０００５】
本発明によれば、例えば、各列車内で配信情報およびユーザ情報を管理しなくても、列車内の乗客の携帯端末に、乗車中の列車および乗客の嗜好に対応する情報を配信することができる。
【発明を実施するための最良の形態】
【０００６】
実施の形態１．
図１は、実施の形態１におけるＩＣリーダライタ１１０が設置されている列車１００内の様子を示す図である。
実施の形態１における情報配信システムでは、携帯電話（携帯端末機の一例）と非接触により近距離無線通信を行うＩＣリーダライタ１１０（リーダライタ装置）が、図１に示すように、列車１００内の到るところに設置されている。
例えば、ＩＣリーダライタ１１０は、ドアの横、手摺、つり革、紙広告１３０や表示機１２０の近辺に設置されている。
列車１００に乗り込んだ乗客は、近くのＩＣリーダライタ１１０に携帯電話を近づけ、乗車している列車１００に関連する自分専用のＷｅｂ（ウェブ）ページ（以下、Ｍｙｐａｇｅ［マイページ］という）のアドレスを示すＵＲＬ（Ｕｎｉｆｏｒｍ  Ｒｅｓｏｕｒｃｅ  Ｌｏｃａｔｏｒ）（以下、ＭｙＵＲＬという）を携帯電話に取得する。Ｗｅｂページは、電子データであり、ホームページ、ＨＴＭＬファイルまたはＷｅｂサイトともいう。
そして、乗客は、携帯電話でインターネットに接続し、ＭｙＵＲＬを用いてＭｙｐａｇｅにアクセスし、乗車している列車１００に関連する情報や自分の嗜好に合う情報をＭｙｐａｇｅから取得する。
【０００７】
図２は、実施の形態１における情報配信システム２００の構成図である。
実施の形態１における情報配信システム２００の構成について、図２に基づいて以下に説明する。
【０００８】
情報配信システム２００は、列車１００内に、ＩＣリーダライタ１１０（リーダライタ装置）、表示機１２０、列車内情報サーバ２２０（車両内サーバ装置）および列車内管理装置２１０を備え、列車１００外に、インターネット９４０と通信接続する地上系情報サーバ２３０（地上系サーバ装置）を備える。
【０００９】
ＩＣリーダライタ１１０は、電波を発信し、近接する携帯電話１９０に内蔵されるＩＣカード１９１（ＩＣ：Ｉｎｔｅｇｒａｔｅｄ  Ｃｉｒｃｕｉｔ）と無線通信を行う。無線通信の方式には、ＦｅｌｉＣａ［フェリカ］（登録商標）やＲＦＩＤ［Ｒａｄｉｏ  Ｆｒｅｑｕｅｎｃｙ  Ｉｄｅｎｔｉｆｉｃａｔｉｏｎ］などがある。
ＩＣカード１９１は、アンテナおよびＩＣチップを備える（図示省略）。ＩＣチップは、電源回路、ＣＰＵ（Ｃｅｎｔｒａｌ  Ｐｒｏｃｅｓｓｉｎｇ  Ｕｎｉｔ）およびメモリを備える。ＩＣチップの電源回路は、ＩＣリーダライタ１１０から発信された電波から電力を得る。ＩＣチップのメモリにはＩＣカード１９１の製造番号が記憶されている。以下、ＩＣカード１９１の製造番号をＩＤ８０３（ＩＤｅｎｔｉｆｉｅｒ）（端末ＩＤ）という。ＩＣチップはＲＦＩＤタグであってもよい。
【００１０】
例えば、ＩＣリーダライタ１１０は、近接した携帯電話１９０のＩＣカード１９１からＩＤ８０３を読み取り、読み取ったＩＤ８０３を列車内情報サーバ２２０に出力し、列車内情報サーバ２２０により生成された電子カード８０１を携帯電話１９０のＩＣカード１９１に書き込む。
電子カード８０１は、携帯電話１９０で使用される情報が設定された電子データのことである。例えば、トルカ（登録商標）は電子カード８０１の一例である。
実施の形態１では、ＩＤ８０３と列車１００の情報（以下、列車情報８０４という）とを含んだＵＲＬ（ＭｙＵＲＬ８１１）が電子カード８０１に設定される。
【００１１】
列車内管理装置２１０は、各列車の運行管理を行う地上の列車監視システム（図示省略）と通信し、列車１００内で列車１００をＣＰＵを用いて運行管理する。列車内管理装置２１０のＴＭ記憶部２１９（記憶機器）（ＴＭ：Ｔｒａｉｎ  Ｍａｎａｇｅｒ）には、列車番号、列車位置、号車番号、運行情報、時刻表、停車駅情報、キロ程などが列車情報８０４（車両情報の一例）として記憶管理されている。列車情報８０４は列車１００および列車１００の各車両を特定する情報である。
例えば、列車番号は、列車１００の識別番号である。
また例えば、列車位置は、列車１００が現在走行している駅間（前回の停止駅と次の停止駅）を示す。
また例えば、号車番号は、ＩＣリーダライタ１１０毎に当該ＩＣリーダライタ１１０が設置されている車両の識別番号を示す。
また例えば、運行情報は、列車１００が時刻表通りに運行しているか又は列車１００の運行に遅延が起きているかを示す。
また例えば、時刻表は、列車１００の運行予定として、停車駅と停車時刻と発車時刻とを示す。
また例えば、停車駅情報は、始発駅から終着駅までの各停車駅を示す。また例えば、キロ程は、基準位置から現在位置までの距離を示す。
【００１２】
列車内情報サーバ２２０は、対ＲＷ通信部２２１（端末ＩＤ取得部、ＵＲＬ出力部）、電子カード生成部２２２（ＵＲＬ生成部）、対ＴＭ通信部２２３、表示機制御部２２４およびＴＩＳ記憶部２２９を備え、ＩＣリーダライタ１１０を介して取得した携帯電話１９０のＩＤ８０３と列車内管理装置２１０から取得した列車情報８０４とを含むＭｙＵＲＬ８１１（ＩＤ−ＵＲＬの一例）を生成し、ＭｙＵＲＬ８１１を設定した電子カード８０１をＩＣリーダライタ１１０を介して携帯電話１９０に提供する。列車内情報サーバ２２０は、ＩＣリーダライタ１１０、列車内管理装置２１０および表示機１２０と有線（または、無線）で通信接続している。
【００１３】
ＭｙＵＲＬ８１１は、列車１００に関連するコンテンツおよび乗客の嗜好に合うコンテンツが表示されるＷｅｂページ（Ｍｙｐａｇｅ８２０）のアドレスを示す。
【００１４】
コンテンツとは、テキスト、音声、画像（動画および静止画）などの、電子データ（電子情報）のことである。
例えば、Ｗｅｂページに表示されるテキスト、音声、画像、リンク情報はコンテンツの一例である。
リンク情報とは、電子データにアクセスするためにＷｅｂページに設定されたアドレスであり、ＨＴＭＬ（ＨｙｐｅｒＴｅｘｔ  Ｍａｒｋｕｐ  Ｌａｎｇｕａｇｅ）のハイパーリンクは、リンク情報の一例である。以下、ハイパーリンクを単にリンクという。
【００１５】
対ＲＷ通信部２２１（ＲＷ：Ｒｅａｄｅｒ／Ｗｒｉｔｅｒ）は、ＩＣリーダライタ１１０との通信を行う。
例えば、対ＲＷ通信部２２１は、ＩＣリーダライタ１１０から携帯電話１９０のＩＤ８０３を受信する。
また例えば、対ＲＷ通信部２２１は、ＩＣリーダライタ１１０に電子カード８０１を送信する。
【００１６】
対ＴＭ通信部２２３は、列車内管理装置２１０との通信を行う。
例えば、対ＴＭ通信部２２３は、列車内管理装置２１０から列車情報８０４を受信する。
【００１７】
電子カード生成部２２２は、ＣＰＵを用いて、対ＲＷ通信部２２１によりＩＣリーダライタ１１０から受信されたＩＤ８０３と、対ＴＭ通信部２２３により列車内管理装置２１０から受信された列車情報８０４とを含めてＭｙＵＲＬ８１１を生成し、ＭｙＵＲＬ８１１を設定した電子カード８０１を生成する。
ここで、「・・・ＩＤ８０３と、・・・列車情報８０４とを含めて」には、ＩＤ８０３と列車情報８０４とのそれぞれの少なくとも一部を含むという意味およびＩＤ８０３と列車情報８０４とに対応する情報を含むという意味も含まれる。
【００１８】
表示機制御部２２４は、表示機１２０に広告情報、停車駅情報、ドアの開閉情報、天気予報およびその他の情報とそれぞれの所定の表示時刻とを示す表示機提供情報８０５を出力して、表示機１２０に表示機提供情報８０５を表示させる。表示機提供情報８０５は電子データである。
【００１９】
ＴＩＳ記憶部２２９（ＴＩＳ：Ｔｒａｉｎ  Ｉｎｆｏｒｍａｔｉｏｎ  Ｓｅｒｖｅｒ）は、列車内情報サーバ２２０で使用される各種データを記憶機器を用いて記憶する。
例えば、ＴＩＳ記憶部２２９は、対ＲＷ通信部２２１により受信された携帯電話１９０のＩＤ８０３、対ＴＭ通信部２２３により受信された列車情報８０４、電子カード生成部２２２により生成されたＭｙＵＲＬ８１１および電子カード８０１を記憶する。
また例えば、ＴＩＳ記憶部２２９には、予め、表示機提供情報８０５が記憶される。
【００２０】
表示機１２０は、表示機提供情報８０５に基づいて、所定の時間帯に所定の情報をディスプレイに表示し、乗客に広告その他の情報を提供する。
例えば、表示機１２０は時間帯に応じて異なる複数の広告を表示する。
例えば、表示機１２０は、ドアの上部に取り付けられている。
【００２１】
紙広告１３０は、ドアの両脇の広告用の額に入れられたり、天井から吊り下げられたりしている。
【００２２】
列車内管理装置２１０および列車内情報サーバ２２０は、車両毎に設置され、設置された車両を管理対象とする管理装置および情報サーバであってもよいし、列車１００に１台ずつ設置され、列車１００の全車両を管理対象とする管理装置および情報サーバであってもよい。
【００２３】
地上系情報サーバ２３０（地上系サーバ装置）は、Ｗｅｂ通信部２３１、Ｗｅｂ生成部２３２、ＩＤ管理部２３３、コンテンツ選択部２３４およびＧＩＳ記憶部２３９（対応コンテンツ情報記憶部、コンテンツ記憶部）を備え、ＭｙＵＲＬ８１１を用いてインターネット９４０に通信接続した携帯電話１９０に対して、携帯電話１９０の所持者（以下、ユーザという）およびユーザが乗車している列車１００に対応するＷｅｂページ（Ｍｙｐａｇｅ８２０）を提供する。
【００２４】
Ｗｅｂ通信部２３１は、インターネット９４０を介して、携帯電話１９０やＷｅｂサーバ２４０と通信を行う。
例えば、Ｗｅｂ通信部２３１は、ＨＴＴＰ（ＨｙｐｅｒＴｅｘｔ  Ｔｒａｎｓｆｅｒ  Ｐｒｏｔｏｃｏｌ）により、ＵＲＬ、ＷｅｂページおよびＷｅｂページに含まれているコンテンツを通信する。
【００２５】
ＧＩＳ記憶部２３９（ＧＩＳ：Ｇｒｏｕｎｄ  Ｉｎｆｏｒｍａｔｉｏｎ  Ｓｅｒｖｅｒ）は、地上系情報サーバ２３０で使用される各種データを記憶機器を用いて記憶する。
例えば、ＧＩＳ記憶部２３９は、Ｗｅｂ通信部２３１により受信されたＭｙＵＲＬ８１１を記憶する。
また例えば、ＧＩＳ記憶部２３９は、Ｗｅｂ生成部２３２により生成されたＭｙｐａｇｅ８２０を記憶する。
また例えば、ＧＩＳ記憶部２３９には、予め、Ｍｙｐａｇｅ８２０に設定される複数のコンテンツ８０９が記憶される。
また例えば、ＧＩＳ記憶部２３９は、各ユーザの嗜好に合うコンテンツをＩＤ８０３に対応付けて示すＩＤ管理情報８０６を記憶する。
また例えば、ＧＩＳ記憶部２３９は、各コンテンツの配信条件を示すコンテンツ管理情報８０７を記憶する。例えば、コンテンツ管理情報８０７は、コンテンツ毎に、提供する時間帯や提供先とする列車１００を示す。
また例えば、ＧＩＳ記憶部２３９は、各広告情報の配信条件を示す広告管理情報８０８を記憶する。例えば、広告管理情報８０８は、広告情報毎に、列車１００内で表示される時間帯や表示される列車１００を示す。「列車１００内で表示」とは、表示機１２０での表示および紙広告１３０の掲示を示す。
【００２６】
ＩＤ管理部２３３は、ＣＰＵを用いて、ＧＩＳ記憶部２３９に記憶されているＩＤ管理情報８０６に対して情報の追加・変更・削除を行う。
【００２７】
コンテンツ選択部２３４は、複数のコンテンツ８０９の中から、ＭｙＵＲＬ８１１に含まれるＩＤ８０３および列車情報８０４に対応するコンテンツ８０９をＩＤ管理情報８０６、コンテンツ管理情報８０７および広告管理情報８０８に基づいてＣＰＵを用いて選択する。
【００２８】
Ｗｅｂ生成部２３２は、ＣＰＵを用いて、コンテンツ選択部２３４により選択されたコンテンツ８０９を示すＭｙｐａｇｅ８２０を生成し、生成したＭｙｐａｇｅ８２０を携帯電話１９０に対してＷｅｂ通信部２３１に送信させる。
【００２９】
図３は、実施の形態１における列車内情報サーバ２２０および地上系情報サーバ２３０のハードウェア資源の一例を示す図である。
図３において、列車内情報サーバ２２０および地上系情報サーバ２３０は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、通信ボード９１５、磁気ディスク装置９２０と接続され、これらのハードウェアデバイスを制御する。磁気ディスク装置９２０の代わりにその他の記憶装置（例えば、ＲＡＭやフラッシュメモリなどの半導体メモリ）を用いてもよい。
ＲＡＭ９１４は、揮発性メモリの一例である。ＲＯＭ９１３、磁気ディスク装置９２０の記憶媒体は、不揮発性メモリの一例である。これらは、記憶機器、記憶装置あるいは記憶部の一例である。また、入力データが記憶されている記憶機器は入力機器、入力装置あるいは入力部の一例であり、出力データが記憶される記憶機器は出力機器、出力装置あるいは出力部の一例である。
通信ボード９１５は、入出力機器、入出力装置あるいは入出力部の一例である。
【００３０】
通信ボード９１５は、有線または無線で、ＬＡＮ（Ｌｏｃａｌ  Ａｒｅａ  Ｎｅｔｗｏｒｋ）、インターネット９４０、ＩＳＤＮ等のＷＡＮ（ワイドエリアネットワーク）、電話回線などの通信網に接続されている。
【００３１】
磁気ディスク装置９２０には、ＯＳ９２１（オペレーティングシステム）、プログラム群９２３、ファイル群９２４が記憶されている。プログラム群９２３のプログラムは、ＣＰＵ９１１、ＯＳ９２１により実行される。
【００３２】
上記プログラム群９２３には、実施の形態において「〜部」として説明する機能を実行するプログラムが記憶されている。プログラムは、ＣＰＵ９１１により読み出され実行される。
【００３３】
ファイル群９２４には、実施の形態において、「〜部」の機能を実行した際の「〜の判定結果」、「〜の計算結果」、「〜の処理結果」などの結果データ、「〜部」の機能を実行するプログラム間で受け渡しするデータ、その他の情報やデータや信号値や変数値やパラメータが、「〜ファイル」や「〜データベース」の各項目として記憶されている。
「〜ファイル」や「〜データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵの動作に用いられる。抽出・検索・参照・比較・演算・計算・処理・出力・印刷・表示のＣＰＵの動作の間、情報やデータや信号値や変数値やパラメータは、メインメモリやキャッシュメモリやバッファメモリに一時的に記憶される。
また、実施の形態において説明するフローチャートの矢印の部分は主としてデータや信号の入出力を示し、データや信号値は、ＲＡＭ９１４のメモリ、磁気ディスク装置９２０の磁気ディスク、その他の記録媒体に記録される。また、データや信号値は、バス９１２や信号線やケーブルその他の伝送媒体によりオンライン伝送される。
【００３４】
また、実施の形態において「〜部」として説明するものは、「〜回路」、「〜装置」、「〜機器」であってもよく、また、「〜ステップ」、「〜手順」、「〜処理」であってもよい。すなわち、「〜部」として説明するものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスクやその他の記録媒体に記憶される。プログラムはＣＰＵ９１１により読み出され、ＣＰＵ９１１により実行される。すなわち、プログラムは、「〜部」としてコンピュータを機能させるものである。あるいは、「〜部」の手順や方法をコンピュータに実行させるものである。
【００３５】
図４は、実施の形態１の情報配信方法におけるユーザの動作を示すフローチャートである。
実施の形態１の情報配信方法におけるユーザの動作について、図４に基づいて以下に説明する。
【００３６】
＜Ｓ１１０：ＭｙＵＲＬの取得＞
列車１００に乗車した乗客（以下、ユーザという）は、所持している携帯電話１９０を近くに設置されているＩＣリーダライタ１１０に近づけることにより、ＭｙＵＲＬ８１１の設定された電子カード８０１を携帯電話１９０内のＩＣカード１９１に取得する。その後、電子カード８０１は携帯電話１９０内のメモリ（記憶媒体）に取得（保存）される。
【００３７】
図５は、実施の形態１におけるアクセス画面８１０を示す図である。
ＭｙＵＲＬの取得（Ｓ１１０）において、ＭｙＵＲＬ８１１の設定された電子カード８０１を取得した携帯電話１９０は、Ｗｅｂブラウザ機能（以下、ブラウザという）を実行し、図５に示すようなアクセス画面８１０を携帯電話１９０のディスプレイ１９２に表示する。
【００３８】
図５に示すように、アクセス画面８１０には、現在時刻「午前１０時１０分」、列車位置「横浜−川崎間」、到着予定時間「５分」、次の停車駅「川崎」およびＭｙＵＲＬ８１１「ｈｔｔｐ：／／ドメイン／サービス／ＩＤ＋列車情報」が表示される。ＭｙＵＲＬ８１１のフォーマットの詳細については後述する。
【００３９】
アクセス画面８１０に表示される各情報はＩＣリーダライタ１１０から取得された電子カード８０１に設定されており、携帯電話１９０のブラウザは電子カード８０１に設定されている情報に基づいてアクセス画面８１０をディスプレイ１９２に表示する。
【００４０】
＜Ｓ１２０：インターネットへの接続＞
ＭｙＵＲＬの取得（Ｓ１１０）において携帯電話１９０のディスプレイ１９２にアクセス画面８１０が表示された場合、ユーザは、携帯電話１９０を操作して、アクセス画面８１０内のＭｙＵＲＬ８１１を選択し、インターネット９４０に通信接続する。
【００４１】
＜Ｓ１３０：Ｍｙｐａｇｅからの情報取得＞
インターネットへの接続（Ｓ１２０）後、携帯電話１９０のディスプレイ１９２にはＭｙｐａｇｅ８２０が表示される。ユーザは、表示されたＭｙｐａｇｅ８２０を閲覧し、各種の情報を得る。
【００４２】
図６は、実施の形態１におけるＭｙｐａｇｅ８２０を示す図である。
インターネットへの接続（Ｓ１２０）において、ＭｙＵＲＬ８１１をインターネット９４０に送信した携帯電話１９０には、図６に示すようなＭｙｐａｇｅ８２０のデータが地上系情報サーバ２３０から返信される。携帯電話１９０のブラウザは、地上系情報サーバ２３０から受信したＭｙｐａｇｅ８２０を図６に示すようにディスプレイ１９２に表示する。
【００４３】
Ｍｙｐａｇｅ８２０には、ユーザのニックネーム「○○さん」や停車駅「○○、△△、××、・・・」が表示される。
さらに、Ｍｙｐａｇｅ８２０には、次の停車駅の近辺にある店舗を一覧するＷｅｂページへのリンク「カフェ」「ラーメン」（以下、次駅店舗情報という）や車両内に表示または掲示されている広告のＷｅｂサイトへのリンク「転職なら○○ナビ」「エステは○○」（以下、車両内広告という）が表示される。
さらに、Ｍｙｐａｇｅ８２０には、ユーザの乗車している列車１００に遅れが生じている場合に、列車の遅延証明として発行されるクーポン８２１が表示される。例えば、ユーザはクーポン８２１を表示させた携帯電話１９０を提示して遅延のお詫びとして何らかの特典を受け取る。
さらに、Ｍｙｐａｇｅ８２０には、Ｍｙｐａｇｅ８２０の更新要求時に押下される情報更新ボタン８２３やＭｙｐａｇｅ８２０に表示される情報の変更要求時に押下される登録変更ボタン８２２が表示される。
Ｍｙｐａｇｅ８２０に表示される各情報はコンテンツの一例である。
【００４４】
例えば、ユーザは、乗車している列車１００が何駅に停車するかをＭｙｐａｇｅ８２０で知ることができる。
また例えば、ユーザは、携帯電話１９０を操作して、Ｍｙｐａｇｅ８２０の「カフェ」を選択し、次の停車駅にあるカフェ店の一覧を携帯電話１９０に表示させることができる。
また例えば、ユーザは、携帯電話１９０を操作して、Ｍｙｐａｇｅ８２０の「転職なら○○ナビ」を選択し、乗車中の車両内で広告されている転職サイト（転職情報を提供しているＷｅｂサイト）にアクセスすることができる。
【００４５】
また例えば、ユーザは、時間が経過して列車１００が新たな駅間を走行している場合、携帯電話１９０を操作して、Ｍｙｐａｇｅ８２０の情報更新ボタン８２３を選択し、更新されたＭｙｐａｇｅ８２０を携帯電話１９０に表示させることができる。Ｍｙｐａｇｅ８２０に情報更新ボタン８２３が有ることにより、ユーザはＭｙｐａｇｅ８２０を更新させるために、再び、携帯電話１９０をＩＣリーダライタ１１０に近接させなくてもよい。
情報更新ボタン８２３を選択された携帯電話１９０のブラウザは、インターネット９４０を介して更新要求を地上系情報サーバ２３０に送信し、地上系情報サーバ２３０から新たなＭｙｐａｇｅ８２０を受信し、受信した新たなＭｙｐａｇｅ８２０をディスプレイ１９２に表示する。
【００４６】
図７は、実施の形態１における登録設定画面８３０を示す図である。
また例えば、ユーザは、携帯電話１９０を操作して、Ｍｙｐａｇｅ８２０の登録変更ボタン８２２を選択し、図７に示すような登録設定画面８３０を携帯電話１９０に表示させることができる。
登録設定画面８３０は、ユーザがＭｙｐａｇｅ８２０に表示させる情報として自分の嗜好に合う情報ジャンルを指定する画面である。
登録変更ボタン８２２を選択された携帯電話１９０のブラウザは、インターネット９４０を介して登録変更要求を地上系情報サーバ２３０に送信し、地上系情報サーバ２３０から登録設定画面８３０のデータを受信し、受信した登録設定画面８３０をディスプレイ１９２に表示する。
【００４７】
図７に示すように、登録設定画面８３０には、ユーザの使用している携帯電話１９０のＩＤ８０３「ＸＸＸＸＸＸ」、ユーザのニックネーム「○○」、Ｍｙｐａｇｅ８２０に表示される情報のチェックボックスが表示される。
さらに、登録設定画面８３０には、ユーザ認証に用いられるパスワードの設定時に押下されるパスワード設定ボタン８３１や登録情報の更新要求時に押下される登録決定ボタン８３２が表示される。
【００４８】
例えば、ユーザは、携帯電話１９０を操作して、登録設定画面８３０に表示されているニックネームを自分の希望するニックネームに変更し、登録決定ボタン８３２を押下する。これにより、ユーザは、Ｍｙｐａｇｅ８２０に表示されるニックネームを変更させることができる。
【００４９】
また例えば、ユーザは、携帯電話１９０を操作して、登録設定画面８３０の「乗換（列車）」チェックボックスを選択し、登録決定ボタン８３２を押下する。これにより、ユーザは、次の停車駅において乗り換えることができる路線をＭｙｐａｇｅ８２０に表示させることができる。
【００５０】
また例えば、ユーザは、携帯電話１９０を操作して、登録設定画面８３０の「コンビニ」チェックボックスを選択し、登録決定ボタン８３２を押下する。これにより、ユーザは、次の停車駅の近辺にあるコンビニエンスストアを一覧するＷｅｂページへのリンクをＭｙｐａｇｅ８２０に表示させることができる。
【００５１】
また例えば、ユーザは、携帯電話１９０を操作して、登録設定画面８３０の「ホテル」チェックボックスを選択し、登録決定ボタン８３２を押下する。これにより、ユーザは、次の停車駅の近辺にあるホテルを一覧するＷｅｂページへのリンクをＭｙｐａｇｅ８２０に表示させることができる。
【００５２】
登録決定ボタン８３２を押下された携帯電話１９０のブラウザは、登録設定画面８３０の設定情報をインターネット９４０を介して地上系情報サーバ２３０に送信する。携帯電話１９０から送信された登録設定画面８３０の設定情報は、ユーザの登録情報として、地上系情報サーバ２３０で記憶管理される。以後、地上系情報サーバ２３０から携帯電話１９０へは新たなユーザ登録情報に対応するＭｙｐａｇｅ８２０が送信される。
【００５３】
また例えば、ユーザは、携帯電話１９０を操作して、登録設定画面８３０を押下し、パスワード設定画面を表示させる（図示省略）。そして、ユーザは、パスワード設定画面への入力により自分の認証に用いるパスワードを指定する。
パスワード設定ボタン８３１を押下された携帯電話１９０は所定のパスワード設定画面をディスプレイ１９２に表示し、パスワード設定画面に入力されたパスワードをインターネット９４０を介して地上系情報サーバ２３０に送信する。地上系情報サーバ２３０は携帯電話１９０から送信されたパスワードをユーザの登録情報として記憶管理する。
【００５４】
Ｍｙｐａｇｅ８２０（図６参照）において情報更新ボタン８２３や登録変更ボタン８２２が押下された時間が、地上系情報サーバ２３０で管理される所定の有効期限を過ぎている場合、地上系情報サーバ２３０はＭｙｐａｇｅ８２０や登録設定画面８３０のデータの代わりにパスワード入力画面のデータを携帯電話１９０に送信し、携帯電話１９０はパスワード入力画面をディスプレイ１９２に表示する（図示省略）。
携帯電話１９０にパスワード入力画面が表示された場合、ユーザは、携帯電話１９０を操作して、パスワード設定画面で指定したパスワードを入力する。
携帯電話１９０は入力されたパスワードを地上系情報サーバ２３０に送信し、地上系情報サーバ２３０は送信されたパスワードがユーザの登録情報として管理されているパスワードと一致する場合にＭｙｐａｇｅ８２０や登録設定画面８３０のデータを携帯電話１９０に送信する。
そして、携帯電話１９０のブラウザによりＭｙｐａｇｅ８２０や登録設定画面８３０が表示される。
【００５５】
図８は、実施の形態１の情報配信方法における列車内情報サーバ２２０の動作を示すフローチャートである。
実施の形態１の情報配信方法における列車内情報サーバ２２０の動作について、図８に基づいて以下に説明する。
列車内情報サーバ２２０の各部は、以下の処理をＣＰＵ９１１を用いて実行する。
【００５６】
＜Ｓ２１０：ＩＤ入力処理＞
携帯電話１９０が列車１００内のいずれかのＩＣリーダライタ１１０に近接されたとき、ＩＣリーダライタ１１０により携帯電話１９０内のＩＣカード１９１からＩＤ８０３が読み取られ、読み取られたＩＤ８０３がＩＣリーダライタ１１０から列車内情報サーバ２２０に出力される。
列車内情報サーバ２２０の対ＲＷ通信部２２１は、ＩＣリーダライタ１１０から出力されたＩＤ８０３を入力する。
【００５７】
＜Ｓ２２０：列車情報取得処理＞
ＩＤ入力処理（Ｓ２１０）においてＩＤ８０３が入力されたとき、対ＴＭ通信部２２３は、列車内管理装置２１０に列車情報要求を出力して、列車内管理装置２１０から現在の列車情報８０４を取得する。
列車内管理装置２１０は、対ＴＭ通信部２２３から列車情報要求の出力があったとき、ＴＭ記憶部２１９から列車情報８０４を取得し、取得した列車情報８０４を対ＴＭ通信部２２３に出力する。
列車情報８０４には、列車番号、列車位置、号車番号、運行情報などが含まれる。
例えば、列車番号は、列車１００の識別番号である。列車番号は予め定められている。
また例えば、列車位置は、列車１００が現在走行している駅間（前回の停止駅と次の停止駅）を識別する識別番号を示す。列車位置は、時刻表やキロ程に基づいて列車内管理装置２１０により記憶管理され、また、地上の列車監視システムとの通信に基づいて列車内管理装置２１０により記憶管理される。駅間に対応する識別番号は予め定められている。
また例えば、号車番号は、特定の車両の識別番号を示す。例えば、対ＴＭ通信部２２３はＩＤ入力処理（Ｓ２１０）において対ＲＷ通信部２２１が通信したＩＣリーダライタ１１０の識別番号を列車情報要求に設定する。そして、列車内管理装置２１０は、列車情報要求に設定されている識別番号に基づいて、対ＲＷ通信部２２１が通信したＩＣリーダライタ１１０が設置されている車両の識別番号を列車情報８０４に設定する。各ＩＣリーダライタ１１０の識別番号と設置されている車両の識別番号とは対応付けられて、予め、ＴＭ記憶部２１９に記憶されている。
また例えば、運行情報は、列車１００が時刻表通りに運行しているか又は列車１００の運行に遅延が起きているかを示す。運行情報は、時刻表やキロ程に基づいて列車内管理装置２１０により記憶管理され、また、地上の列車監視システムとの通信に基づいて列車内管理装置２１０により記憶管理される。
【００５８】
＜Ｓ２３０：ＭｙＵＲＬ生成処理＞
電子カード生成部２２２は、ＩＤ入力処理（Ｓ２１０）で入力されたＩＤ８０３と、列車情報取得処理（Ｓ２２０）において取得された列車情報８０４とに基づいて、ＭｙＵＲＬ８１１を生成する。
【００５９】
図９は、実施の形態１におけるＭｙＵＲＬ８１１のフォーマットを示す図である。
ＭｙＵＲＬ生成処理（Ｓ２３０）において、電子カード生成部２２２は、ＩＤ８０３と列車情報８０４とに基づいて、図９に示すようなＭｙＵＲＬ８１１を生成する。
【００６０】
「ｈｔｔｐｓ」は、通信プロトコルを示している。
【００６１】
「ｗｗｗ．××××．ｃｏｍ」は、ドメイン名（または、ホスト名）を示し、地上系情報サーバ２３０を特定している。
地上系情報サーバ２３０は「ｗｗｗ．××××．ｃｏｍ」で識別されるＷｅｂサーバである。
【００６２】
「ｔｒａｉｎｍｙｐａｇｅ」は、サービス名を示している。
「ｔｒａｉｎｍｙｐａｇｅ」サービスは、実施の形態１における情報配信システム２００のサービスであり、ＩＤ８０３および列車情報８０４に応じたＭｙｐａｇｅ８２０を提供するサービスである。
【００６３】
「？ｉｄ＝・・・」は、「ｔｒａｉｎｍｙｐａｇｅ」サービス機能に対する入力パラメータとして、ＩＤ８０３および列車情報８０４を示している。
【００６４】
「ｉｄ」に「＝」で設定されている「１２３４５６７８」は、ＩＤ８０３（端末ＩＤ）を示している。
【００６５】
「ｄａｔｅ」に設定されている「１８３０」は、ＭｙＵＲＬ８１１の生成時（または、携帯電話１９０からＩＤ８０３が読み取られたとき）の時刻（端末ＩＤ読取時刻）を示している。図９では、「１８時３０分」がＭｙＵＲＬ８１１の生成時の時刻である。
【００６６】
「ｔｒａｉｎｎｏ」に設定されている「１２３４」は、列車情報８０４に含まれている列車番号（端末ＩＤ読取車両）を示している。
【００６７】
「ｖｅｈｉｃｌｅｎｏ」に設定されている「５」は、列車情報８０４に含まれている号車番号（端末ＩＤ読取車両）を示している。
【００６８】
「ｐｏｓｉｔｉｏｎ」に設定されている「３２１」は、列車情報８０４に含まれている列車位置を示している。
例えば、「３２１」は、「横浜−川崎間」を識別する識別番号であり、列車１００が「横浜−川崎間」を運行中であることを示し、次の停車駅が「川崎」であることを示している。
【００６９】
「ｄｅｌａｙ」（遅延フラグ）に設定されている「１」は、列車情報８０４に含まれている運行情報を示している。
例えば、「ｄｅｌａｙ＝１」は列車１００の運行に遅れが生じていることを示し、「ｄｅｌａｙ＝０」は列車１００の運行が時刻表通り（または、時刻表との差異が所定の時間内）であることを示す。
【００７０】
「ｐａｓｓ」に設定されている「ｘｘｘｘ」は、電子カード生成部２２２によりユニークに発行されたワンタイムパスワードを示している。
【００７１】
＜Ｓ２４０：電子カード生成処理＞
電子カード生成部２２２は、ＭｙＵＲＬ生成処理（Ｓ２３０）で生成したＭｙＵＲＬ８１１を含めて、所定のフォーマットの電子カード８０１を生成する。
例えば、電子カード生成部２２２は、電子カード８０１としてＭｙＵＲＬ８１１を設定したトルカ（登録商標）を生成する。
また例えば、電子カード生成部２２２は、図５のようなアクセス画面８１０を示す電子カード８０１を生成する。
【００７２】
＜Ｓ２５０：電子カード出力処理＞
対ＲＷ通信部２２１は、ＩＤ入力処理（Ｓ２１０）においてＩＤ８０３を出力したＩＣリーダライタ１１０に、電子カード生成処理（Ｓ２４０）で生成された電子カード８０１を出力する。
ＩＣリーダライタ１１０は、対ＲＷ通信部２２１により出力された電子カード８０１を、近接されている携帯電話１９０のＩＣカード１９１に書き込む。
【００７３】
図１０は、実施の形態１の情報配信方法における地上系情報サーバ２３０の動作を示すフローチャートである。
実施の形態１の情報配信方法における地上系情報サーバ２３０の動作について、図１０に基づいて以下に説明する。
地上系情報サーバ２３０の各部は、以下の処理をＣＰＵ９１１を用いて実行する。
【００７４】
＜Ｓ３１０：Ｍｙｐａｇｅ要求受信処理＞
ユーザが携帯電話１９０をＩＣリーダライタ１１０に近づけてＭｙＵＲＬ８１１を取得し、取得したＭｙＵＲＬ８１１を指定してインターネット９４０に通信接続したとき、携帯電話１９０から地上系情報サーバ２３０にＭｙＵＲＬ８１１が送信される。
地上系情報サーバ２３０のＷｅｂ通信部２３１は、携帯電話１９０から送信されたＭｙＵＲＬ８１１を受信する。
【００７５】
＜Ｓ３２０：ＩＤ管理情報取得処理＞
Ｍｙｐａｇｅ要求受信処理（Ｓ３１０）においてＭｙＵＲＬ８１１が受信されたとき、ＩＤ管理部２３３は、ＭｙＵＲＬ８１１に設定されているＩＤ８０３に対応するＩＤ管理情報８０６がＧＩＳ記憶部２３９に記憶されているか否かを判定する。
対応するＩＤ管理情報８０６が記憶されている場合、ＩＤ管理部２３３は対応するＩＤ管理情報８０６を取得する。
対応するＩＤ管理情報８０６が記憶されていない場合、ＩＤ管理部２３３はＩＤ８０３に対応付けて新たにＩＤ管理情報８０６を生成する。以後、生成されたＩＤ管理情報８０６はＧＩＳ記憶部２３９に記憶管理される。
【００７６】
図１１は、実施の形態１におけるＩＤ管理情報８０６を示す図である。
例えば、ＩＤ管理情報８０６は、図１１に示すように、ユーザ管理テーブル７１０、嗜好管理テーブル７２０およびアクセス履歴テーブル７３０で管理される。
【００７７】
ユーザ管理テーブル７１０は、ユーザの識別情報が管理されるテーブルであり、ＩＤ７１１、パスワード７１２、ニックネーム７１３および有効期限７１４が対応付けられている。
【００７８】
ＩＤ７１１には、各携帯電話１９０のＩＤ８０３が設定される。
パスワード７１２には、登録設定画面８３０（図７参照）のパスワード設定ボタン８３１が押下され、パスワード設定画面でユーザに指定されたパスワードが設定される。
ニックネーム７１３には、登録設定画面８３０（図７参照）でユーザに指定されたニックネームが設定される。
有効期限７１４には、セッション（地上系情報サーバ２３０との接続）の有効期限が設定される。
【００７９】
嗜好管理テーブル７２０は、Ｍｙｐａｇｅ８２０（図６参照）においてＩＤ８０３に対応して表示される情報ジャンルが管理されるテーブルであり、ＩＤ７２１と情報ジャンルコード７２２とが対応付けられている。
【００８０】
ＩＤ７２１には、各携帯電話１９０のＩＤ８０３が設定される。
情報ジャンルコード７２２には、Ｍｙｐａｇｅ８２０に表示される情報ジャンルを識別する識別コードが設定される。設定される情報ジャンルコード７２２は、初期値または登録設定画面８３０（図７参照）でユーザに指定された情報ジャンルの識別コードである。
【００８１】
アクセス履歴テーブル７３０は、Ｍｙｐａｇｅ８２０（図６参照）のリンク先へのアクセス履歴が管理されるテーブルであり、ＩＤ７３１、アクセス先ＵＲＬ７３２およびアクセス時間７３３が対応付けられている。
【００８２】
ＩＤ７３１には、各携帯電話１９０のＩＤ８０３が設定される。
アクセス先ＵＲＬ７３２には、ＭｙＵＲＬ８１１またはＭｙｐａｇｅ８２０からアクセスされたアクセス先のＵＲＬが設定される。
アクセス時間７３３には、ＭｙＵＲＬ８１１またはＭｙｐａｇｅ８２０からアクセスされたＷｅｂページの閲覧時間が設定される。
【００８３】
ＩＤ管理情報取得処理（Ｓ３２０）において、ＩＤ管理部２３３は、ＭｙＵＲＬ８１１に設定されているＩＤ８０３（ｉｄ）を検索キーとして、ユーザ管理テーブル７１０を検索する。
検索した結果、ＩＤ８０３が（ＩＤ７１１に）設定されているレコードがユーザ管理テーブル７１０に存在する場合、ＩＤ管理部２３３は、ユーザ管理テーブル７１０から当該レコードをＩＤ８０３に対応するレコードとして取得すると共に、ＩＤ８０３を検索キーにして嗜好管理テーブル７２０を検索し、ＩＤ８０３に対応する嗜好管理テーブル７２０のレコードを取得する。
【００８４】
また、ＩＤ管理部２３３は、アクセス履歴テーブル７３０にアクセス履歴としてレコードを追加する。追加レコードのＩＤ７３１にはＭｙＵＲＬ８１１に設定されているＩＤ８０３が設定され、アクセス先ＵＲＬ７３２にはＭｙＵＲＬ８１１が設定される。
【００８５】
また、ＩＤ管理部２３３は、当該レコードに設定されている有効期限７１４が切れていないか判定する。
有効期限７１４が切れている場合、ＩＤ管理部２３３は、所定のパスワード入力画面のデータを携帯電話１９０に対してＷｅｂ通信部２３１に送信させ、ユーザにパスワードの入力を促す。
携帯電話１９０はＷｅｂ通信部２３１から受信したパスワード入力画面を表示し、ユーザにより入力されたパスワードをＷｅｂ通信部２３１に送信する。
ＩＤ管理部２３３はＷｅｂ通信部２３１により受信されたパスワードが当該レコードに設定されているパスワード７１２と一致するか判定する。
パスワードが一致する場合、地上系情報サーバ２３０の以降の処理が実行される。
パスワードが一致しない場合、ＩＤ管理部２３３はアクセスエラーメッセージを携帯電話１９０に対してＷｅｂ通信部２３１に送信させ、地上系情報サーバ２３０の処理は終了する。このとき、携帯電話１９０はアクセスエラーメッセージを表示する。
【００８６】
検索した結果、ＩＤ８０３が設定されているレコードがユーザ管理テーブル７１０に存在しない場合、ＩＤ管理部２３３は、ユーザ管理テーブル７１０、嗜好管理テーブル７２０およびアクセス履歴テーブル７３０にＩＤ８０３に対応する新たなレコードを追加する。
ユーザ管理テーブル７１０に新たに追加されるレコードとして、ＩＤ７１１にはＭｙＵＲＬ８１１に設定されているＩＤ８０３が設定され、パスワード７１２、ニックネーム７１３および有効期限７１４には初期値が設定される。例えば、パスワード７１２には初期値として“未設定”を示す数値が設定される。また例えば、ニックネーム７１３には初期値として文字列“ユーザ”が設定される。また例えば、有効期限７１４には初期値として、ＭｙＵＲＬ８１１またはＭｙｐａｇｅ８２０からアクセスされた時点から所定の時間（例えば、１日）経過後の日時が設定される。
【００８７】
＜Ｓ３３０：コンテンツ選択処理＞
＜Ｓ３３１：情報コンテンツ選択処理＞
コンテンツ選択部２３４は、Ｍｙｐａｇｅ要求受信処理（Ｓ３１０）で受信されたＭｙＵＲＬ８１１の設定値と、ＩＤ管理情報取得処理（Ｓ３２０）において取得された嗜好管理テーブル７２０のレコードと、コンテンツ管理情報８０７とに基づいて、Ｍｙｐａｇｅ８２０に表示させるコンテンツを選択する。
【００８８】
図１２は、実施の形態１におけるコンテンツ管理情報８０７を示す図である。
例えば、コンテンツ管理情報８０７は、図１２に示すように、コンテンツ管理テーブル７４０および情報ジャンルテーブル７５０で管理される。
【００８９】
コンテンツ管理テーブル７４０は、コンテンツの配信条件７４６が管理されるテーブルであり、素材コード７４１、情報ジャンルコード７４２、タイトル７４３、内容・データ７４４、リンク先ＵＲＬ７４５、配信条件７４６および素材有効期限７４７が対応付けられている。
【００９０】
素材コード７４１には、コンテンツを識別する識別コードが設定される。
情報ジャンルコード７４２には、コンテンツが属する情報ジャンルを識別する識別コードが設定される。
タイトル７４３には、コンテンツ名が設定される。
内容・データ７４４には、コンテンツの説明が設定される。
リンク先ＵＲＬ７４５には、コンテンツの所在地として、コンテンツを提供しているＷｅｂサーバ２４０のＵＲＬまたはコンテンツが記憶されているＧＩＳ記憶部２３９内のフォルダ名（または、ファイル名、記憶領域のアドレス）が設定される。
配信条件７４６には、コンテンツの配信条件として、配信時間帯７４６ａ、列車位置７４６ｂ、列車番号７４６ｃおよび号車番号７４６ｄが設定される。
素材有効期限７４７には、コンテンツの有効期限として、開始７４７ａおよび終了７４７ｂが設定される。
【００９１】
情報ジャンルテーブル７５０は、情報ジャンルの名称が管理されるテーブルであり、情報ジャンルコード７５１と情報ジャンル名７５２とが対応付けられている。
【００９２】
コンテンツ管理テーブル７４０および情報ジャンルテーブル７５０には、予め、各項目に所定値が設定されたレコードが生成されている。
【００９３】
コンテンツ選択処理（Ｓ３３０）において、コンテンツ選択部２３４は、ＩＤ管理情報取得処理（Ｓ３２０）において取得された嗜好管理テーブル７２０のレコードに設定されている情報ジャンルコード７２２を検索キーにして、コンテンツ管理テーブル７４０と情報ジャンルテーブル７５０とを検索する。そして、コンテンツ選択部２３４は、情報ジャンルコード７２２が（情報ジャンルコード７４２に）設定されているコンテンツ管理テーブル７４０のレコードを取得し、情報ジャンルコード７２２が（情報ジャンルコード７５１に）設定されている情報ジャンルテーブル７５０のレコードを取得する。
このとき、コンテンツ管理テーブル７４０のレコードと情報ジャンルテーブル７５０のレコードとは、ＩＤ管理情報取得処理（Ｓ３２０）において取得された嗜好管理テーブル７２０のレコードに設定されている情報ジャンルコード７２２の個数と同じ数だけ取得される。
【００９４】
次に、コンテンツ選択部２３４は、Ｍｙｐａｇｅ要求受信処理（Ｓ３１０）で受信されたＭｙＵＲＬ８１１の設定値に基づいて、取得したコンテンツ管理テーブル７４０のレコードから、配信条件７４６の合うレコードを抽出する。
このとき、コンテンツ選択部２３４は以下の条件（１）〜（４）を全て満たすコンテンツ管理テーブル７４０のレコードを抽出する。
（１）ＭｙＵＲＬ８１１に設定されている“時刻（ｄａｔｅ）”が配信時間帯７４６ａの範囲内である。
（２）ＭｙＵＲＬ８１１に設定されている“位置（ｐｏｓｉｔｉｏｎ）”が列車位置７４６ｂに設定されている。
（３）ＭｙＵＲＬ８１１に設定されている“列車番号（ｔｒａｉｎｎｏ）”が列車番号７４６ｃに設定されている。
（４）ＭｙＵＲＬ８１１に設定されている“号車番号（ｖｅｈｉｃｌｅｎｏ）”が号車番号７４６ｄに設定されている。
【００９５】
さらに、コンテンツ選択部２３４は、抽出したコンテンツ管理テーブル７４０のレコードから、素材有効期限７４７が切れていないレコードを抽出する。
【００９６】
＜Ｓ３３２：広告コンテンツ選択処理＞
コンテンツ選択部２３４は、Ｍｙｐａｇｅ要求受信処理（Ｓ３１０）で受信されたＭｙＵＲＬ８１１の設定値と、ＩＤ管理情報取得処理（Ｓ３２０）において取得された嗜好管理テーブル７２０のレコードと、広告管理情報８０８とに基づいて、Ｍｙｐａｇｅ８２０に表示させるコンテンツを選択する。
【００９７】
図１３は、実施の形態１における広告管理情報８０８を示す図である。
例えば、広告管理情報８０８は、図１３に示すように、広告管理テーブル７６０、広告ジャンルテーブル７７０およびスポンサーテーブル７８０で管理される。
【００９８】
広告管理テーブル７６０は、広告関連のコンテンツ（以下、広告コンテンツという）の配信条件７６７が管理されるテーブルであり、素材コード７６１、広告ジャンルコード７６２、スポンサーコード７６３、タイトル７６４、内容・データ７６５、リンク先ＵＲＬ７６６、配信条件７６７および素材有効期限７６８が対応付けられている。
【００９９】
広告ジャンルコード７６２には、広告コンテンツが属する広告ジャンルを識別する識別コードが設定される。
スポンサーコード７６３には、広告コンテンツに掲載される広告のスポンサーを識別する識別コードが設定される。
広告管理テーブル７６０のその他の項目は、コンテンツ管理テーブル７４０と同様である。
【０１００】
広告管理テーブル７６０には、予め、各項目に所定値が設定されたレコードが生成されている。
但し、各レコードの配信条件７６７には、広告コンテンツに対応する広告が表示機１２０に表示され、または、紙広告１３０として掲示される列車１００および時間帯が設定される。広告管理テーブル７６０の配信条件７６７は列車内情報サーバ２２０の表示機提供情報８０５に対応している。
【０１０１】
広告ジャンルテーブル７７０は、広告ジャンルの名称が管理されているテーブルであり、広告ジャンルコード７７１と広告ジャンル名７７２とが対応付けられている。
【０１０２】
スポンサーテーブル７８０は、スポンサーの名称が管理されているテーブルであり、スポンサーコード７８１とスポンサー名７８２とが対応付けられている。
【０１０３】
コンテンツ選択処理（Ｓ３３０）において、コンテンツ選択部２３４は、Ｍｙｐａｇｅ要求受信処理（Ｓ３１０）で受信されたＭｙＵＲＬ８１１の設定値に基づいて、配信条件７６７の合うレコードを広告管理テーブル７６０から抽出する。
このとき、コンテンツ選択部２３４は以下の条件（１）〜（４）を全て満たす広告管理テーブル７６０のレコードを抽出する。
（１）ＭｙＵＲＬ８１１に設定されている“時刻（ｄａｔｅ）”が配信時間帯７６７ａの範囲内である。
（２）ＭｙＵＲＬ８１１に設定されている“位置（ｐｏｓｉｔｉｏｎ）”が列車位置７６７ｂに設定されている。
（３）ＭｙＵＲＬ８１１に設定されている“列車番号（ｔｒａｉｎｎｏ）”が列車番号７６７ｃに設定されている。
（４）ＭｙＵＲＬ８１１に設定されている“号車番号（ｖｅｈｉｃｌｅｎｏ）”が号車番号７６７ｄに設定されている。
【０１０４】
さらに、コンテンツ選択部２３４は、抽出した広告管理テーブル７６０のレコードから、素材有効期限７６８が切れていないレコードを抽出する。
【０１０５】
さらに、コンテンツ選択部２３４は、抽出した広告管理テーブル７６０のレコードから、嗜好管理テーブル７２０の対応するレコードに設定されている情報ジャンルコード７２２のいずれかと広告ジャンルコード７６２が一致するレコードを抽出してもよい。
【０１０６】
Ｍｙｐａｇｅ８２０を要求したユーザが乗車している車両内では、抽出された広告管理テーブル７６０のレコードに対応する広告が、表示機１２０に表示され、または、紙広告１３０として掲示されている。
【０１０７】
次に、コンテンツ選択部２３４は、抽出した広告管理テーブル７６０のレコードに設定されている広告ジャンルコード７６２を検索キーにして広告ジャンルテーブル７７０を検索し、広告ジャンルコード７６２が（広告ジャンルコード７７１に）設定されている広告ジャンルテーブル７７０のレコードを取得する。
また、コンテンツ選択部２３４は、抽出したコンテンツ管理テーブル７４０のレコードに設定されているスポンサーコード７６３を検索キーにしてスポンサーテーブル７８０を検索し、スポンサーコード７６３が（スポンサーコード７８１に）設定されているスポンサーテーブル７８０のレコードを取得する。
【０１０８】
上記のＩＤ管理情報取得処理（Ｓ３２０）およびコンテンツ選択処理（Ｓ３３０）により、ユーザの携帯電話１９０のＩＤ８０３およびユーザが乗車している車両に対応するＩＤ管理情報８０６、コンテンツ管理情報８０７および広告管理情報８０８が取得される。
【０１０９】
＜Ｓ３４０：Ｍｙｐａｇｅ生成処理＞
Ｗｅｂ生成部２３２は、コンテンツ選択処理（Ｓ３３０）で取得されたＩＤ管理情報８０６、コンテンツ管理情報８０７および広告管理情報８０８に基づいて、Ｍｙｐａｇｅ８２０を生成する。
例えば、Ｗｅｂ生成部２３２は、図６のようなＭｙｐａｇｅ８２０を生成する。
【０１１０】
ＩＤ管理情報８０６として取得されたユーザ管理テーブル７１０のレコードにニックネーム７１３として“○○”と設定されている場合、Ｗｅｂ生成部２３２は、「ようこそ○○さん」という文字列をＭｙｐａｇｅ８２０に設定する。
【０１１１】
コンテンツ管理情報８０７として取得された情報ジャンルテーブル７５０のレコードに情報ジャンル名７５２として“停車駅”と設定されている場合、Ｗｅｂ生成部２３２は、「☆この列車の停車駅」という文字列をＭｙｐａｇｅ８２０に設定する。
【０１１２】
Ｗｅｂ生成部２３２は、コンテンツ管理情報８０７として取得されたコンテンツ管理テーブル７４０のレコードに設定されているリンク先ＵＲＬ７４５にアクセスして停車駅の一覧を取得し、取得した停車駅の一覧（例えば、○○、△△、××、・・・）をＭｙｐａｇｅ８２０に設定する。
コンテンツ管理テーブル７４０の情報ジャンルコード７４２が「停車駅」、「乗換（列車）」、「乗換（バス）」などの「運行案内」に対応するコードである場合、リンク先ＵＲＬ７４５には、ＵＲＬではなく、各情報が設定されているコンテンツのアドレス（フォルダ名、ファイル名または記憶領域のアドレス）が設定される。
情報ジャンルコード７４２が「停車駅」に対応するコードである場合、リンク先ＵＲＬ７４５に示されるコンテンツには停車駅の一覧が設定されている。
【０１１３】
コンテンツ管理情報８０７として取得された情報ジャンルテーブル７５０のレコード（例えば、２レコード）に情報ジャンル名７５２として“カフェ”および“ラーメン”が設定されている場合、Ｗｅｂ生成部２３２は、「☆次駅店舗情報」という文字列とアンダーライン付きの文字列“カフェ”および“ラーメン”をＭｙｐａｇｅ８２０に設定する。
さらに、Ｗｅｂ生成部２３２は、コンテンツ管理情報８０７として取得されたコンテンツ管理テーブル７４０のレコード（例えば、２レコード）に設定されているリンク先ＵＲＬ７４５をアンダーライン付きの文字列“カフェ”および“ラーメン”に設定する。
コンテンツ管理テーブル７４０の情報ジャンルコード７４２が「カフェ」や「ラーメン」などの「店舗案内」に対応するコードである場合、リンク先ＵＲＬ７４５にはＵＲＬが設定される。
リンク先ＵＲＬ７４５に設定されるＵＲＬは、インターネット９４０に通信接続する外部のＷｅｂサーバ２４０のＵＲＬであってもよいし、ＧＩＳ記憶部２３９に予め記憶されているＷｅｂページのアドレスを示すＵＲＬであってもよい。
【０１１４】
広告管理情報８０８として取得された広告管理テーブル７６０のレコードに号車番号７６７ｄとして“５”号車が設定されている場合、Ｗｅｂ生成部２３２は「☆５号車車両内広告」という文字列をＭｙｐａｇｅ８２０に設定する。
【０１１５】
広告管理情報８０８として取得された広告管理テーブル７６０のレコード（例えば、２レコード）にタイトル７６４として“転職なら○○ナビ”および“エステは○○”が設定されている場合、Ｗｅｂ生成部２３２は、タイトル７６４に設定されている各文字列をアンダーライン付きでＭｙｐａｇｅ８２０に設定する。
さらに、Ｗｅｂ生成部２３２は、広告管理情報８０８として取得された広告管理テーブル７６０のレコードに設定されているリンク先ＵＲＬ７６６をアンダーライン付きの各文字列に設定する。
広告管理テーブル７６０のリンク先ＵＲＬ７６６にはＵＲＬが設定される。
リンク先ＵＲＬ７６６に設定されるＵＲＬは、インターネット９４０に通信接続する外部のＷｅｂサーバ２４０のＵＲＬであってもよいし、ＧＩＳ記憶部２３９に予め記憶されているＷｅｂページのアドレスを示すＵＲＬであってもよい。
【０１１６】
また、Ｍｙｐａｇｅ要求受信処理（Ｓ３１０）で受信されたＭｙＵＲＬ８１１に遅れフラグ（ｄｅｌａｙ＝１）が設定されている場合、Ｗｅｂ生成部２３２は、文字列「☆クーポン」とクーポン８２１（画像）をＭｙｐａｇｅ８２０に設定する。
【０１１７】
また、Ｗｅｂ生成部２３２は、Ｍｙｐａｇｅ８２０に情報更新ボタン８２３および登録変更ボタン８２２を設定する。
【０１１８】
また、Ｗｅｂ生成部２３２は、アクセス履歴テーブル７３０の対応するレコードを参照し、過去にアクセスされたアクセス先ＵＲＬ７３２をＭｙｐａｇｅ８２０に設定してもよい。
【０１１９】
＜Ｓ３５０：Ｍｙｐａｇｅ送信処理＞
Ｗｅｂ通信部２３１は、Ｍｙｐａｇｅ生成処理（Ｓ３４０）で生成されたＭｙｐａｇｅ８２０を、Ｍｙｐａｇｅ要求受信処理（Ｓ３１０）でＭｙＵＲＬ８１１を送信した携帯電話１９０にインターネット９４０を介して送信する。
【０１２０】
また、Ｍｙｐａｇｅ８２０のいずれかのリンク（アンダーラインの文字列）が選択され、携帯電話１９０から地上系情報サーバ２３０にアクセスがあった場合、ＩＤ管理部２３３は、アクセス履歴テーブル７３０に新たにレコードを追加し、追加したレコードにＩＤ７３１、アクセス先ＵＲＬ７３２およびアクセス時間７３３を設定する。
【０１２１】
また、Ｍｙｐａｇｅ８２０の登録変更ボタン８２２が押下された場合、ＩＤ８０３を含んだ登録情報変更要求が携帯電話１９０から地上系情報サーバ２３０に送信される。このとき、ＩＤ管理部２３３は登録情報変更要求に含まれるＩＤ８０３に対応するユーザ管理テーブル７１０および嗜好管理テーブル７２０のレコードを取得し、Ｗｅｂ生成部２３２は取得されたレコードの設定値を反映させた登録設定画面８３０を生成する。生成された登録設定画面８３０はＷｅｂ通信部２３１により携帯電話１９０に送信され、携帯電話１９０に表示される。
登録設定画面８３０の登録決定ボタン８３２が押下された場合、登録設定画面８３０の指定値とＩＤ８０３とを含んだ登録要求が携帯電話１９０から地上系情報サーバ２３０に送信される。このとき、ＩＤ管理部２３３は、登録要求に基づいて、ＩＤ８０３に対応するユーザ管理テーブル７１０のレコードおよび嗜好管理テーブル７２０のレコードに対して各レコードの設定値を登録設定画面８３０の指定値で更新する。
【０１２２】
また、登録設定画面８３０のパスワード設定ボタン８３１が押下された場合、ＩＤ８０３を含んだパスワード変更要求が携帯電話１９０から地上系情報サーバ２３０に送信される。このとき、ＩＤ管理部２３３はパスワード変更要求に含まれるＩＤ８０３に対応するユーザ管理テーブル７１０のレコードを取得し、Ｗｅｂ生成部２３２は取得されたレコードに設定されているパスワード７１２を非表示で含めた所定のパスワード設定画面を生成する。生成されたパスワード設定画面はＷｅｂ通信部２３１により携帯電話１９０に送信され、携帯電話１９０に表示される。
パスワード設定画面において、パスワード設定画面に含まれる現在のパスワード７１２と新しいパスワードとが入力された場合、ＩＤ８０３と新しいパスワードとを含んだパスワード設定要求が携帯電話１９０から地上系情報サーバ２３０に送信される。このとき、ＩＤ管理部２３３は、パスワード設定要求に基づいて、ＩＤ８０３に対応するユーザ管理テーブル７１０のレコードに新しいパスワードを設定する。
【０１２３】
また、Ｍｙｐａｇｅ８２０の情報更新ボタン８２３が押下された場合、ＭｙＵＲＬ８１１を含んだ更新要求が携帯電話１９０から地上系情報サーバ２３０に送信される。このとき、コンテンツ選択部２３４はＭｙＵＲＬ８１１に設定されている時刻（ｄａｔｅ）を現在時刻に置き換えると共に、ＭｙＵＲＬ８１１に設定されている列車位置（ｐｏｓｉｔｉｏｎ）を時刻表に基づいて現在時刻における予定の列車位置に置き換えてコンテンツ選択処理（Ｓ３３０）を実行する。また、ＩＤ管理部２３３はＭｙｐａｇｅ生成処理（Ｓ３４０）を実行し、Ｗｅｂ通信部２３１はＭｙｐａｇｅ送信処理（Ｓ３５０）を実行する。
これにより、携帯電話１９０には新しいＭｙｐａｇｅ８２０が送信され、表示される。
【０１２４】
実施の形態１において、ＩＣリーダライタ１１０と表示機１２０および紙広告１３０が関連付けられ、列車内情報サーバ２２０がＭｙＵＲＬ８１１と共にＩＣリーダライタ１１０に関連づけられた広告の情報を携帯電話１９０に提供しても構わない。
【０１２５】
例えば、図１において紙広告１３０と紙広告１３０の下方に設置されているＩＣリーダライタ１１０とを関連付ける。
このとき、列車内情報サーバ２２０または列車内管理装置２１０には、予め、ＩＣリーダライタ１１０の識別番号に対応付けて紙広告１３０の詳細情報が記憶されている。電子カード生成部２２２はＩＤ８０３を出力したＩＣリーダライタ１１０の識別番号に対応付けられている紙広告１３０の詳細情報をＭｙＵＲＬ８１１と共に設定して電子カード８０１を生成する。生成された電子カード８０１は対ＲＷ通信部２２１によりＩＣリーダライタ１１０を介して携帯電話１９０のＩＣカード１９１に書き出される。
これにより、ユーザは、気になる紙広告１３０の下方に設置されているＩＣリーダライタ１１０に携帯電話１９０を近づけることにより、ＭｙＵＲＬ８１１にアクセスしなくても、紙広告１３０の詳細情報を携帯電話１９０に表示させ、確認することができる。
紙広告１３０の詳細情報は、テキストやＷｅｂページでもよいし、広告スポンサーのＷｅｂサイトのＵＲＬであってもよい。
【０１２６】
また例えば、図１において表示機１２０と紙広告１３０の上方に設置されているＩＣリーダライタ１１０とを関連付ける。
このとき、ＴＩＳ記憶部２２９に記憶される表示機提供情報８０５には表示機１２０に表示される各広告の詳細情報が含まれている。電子カード生成部２２２は、表示機提供情報８０５を参照し、その時に表示機１２０に表示されている広告の詳細情報を取得し、取得した広告の詳細情報をＭｙＵＲＬ８１１と共に設定して電子カード８０１を生成する。生成された電子カード８０１は対ＲＷ通信部２２１によりＩＣリーダライタ１１０を介して携帯電話１９０のＩＣカード１９１に書き出される。
これにより、ユーザは、表示機１２０に気になる広告が表示されているとき、紙広告１３０の上方に設置されているＩＣリーダライタ１１０に携帯電話１９０を近づけることにより、ＭｙＵＲＬ８１１にアクセスしなくても、広告の詳細情報を携帯電話１９０に表示させ、確認することができる。
広告の詳細情報は、テキストやＷｅｂページでもよいし、広告スポンサーのＷｅｂサイトのＵＲＬであってもよい。
【０１２７】
実施の形態１では、以下のような情報配信方法について説明した。
（１）特定の列車１００に乗車する乗客に最適なコンテンツをＰｕｌｌ（プル）型で配信することを簡易にする方法である。
（２）メールなどのＰｕｓｈ（プッシュ）型の配信ではなく、Ｐｕｌｌ型の配信で、列車の位置、時間に応じた最適なコンテンツを配信する。
（３）乗客が携帯電話１９０をＩＣリーダライタ１１０にタッチしたときの時間、位置、場所（列車、号車）、個人の嗜好（ＩＤに対応付けられて地上系情報サーバ２３０が管理）に応じたコンテンツ・広告をＰｕｌｌ型で配信する。
（４）１回目のアクセス時にＩＤが登録され、乗客は嗜好データ（ジャンル、目的地）を登録すれば、次回から好みのコンテンツにだけアクセスすることが可能になる。
（５）アクセス履歴を記録するため、地上系情報サーバ２３０は、前回のアクセス履歴をもとに最適なコンテンツを判断し、Ｍｙｐａｇｅ８２０にリコメンドすることもできる。
（６）ＩＤにはユニークな番号（例えば、非接触ＩＣカードの製造番号等ユニークな番号であればよい）を利用する。
（７）配信するコンテンツ・広告および列車固有の情報（運行案内）は地上系情報サーバ２３０に格納するため、列車１００毎にそれら情報を格納する必要が無い。
（８）列車番号ごと、号車ごとにコンテンツを配信する。
（９）表示機広告や紙広告１３０と連動するように広告コンテンツを配信し、アクセス履歴を記録するため、広告の効果測定（アクセス数のカウント）を行うことができる。
（１０）ＩＤごとにアクセス履歴を記録するため、乗客の行動特性を測定することができる。
【０１２８】
実施の形態１における情報配信方法は、以下のような効果を奏する。
（１）情報（コンテンツ）は、地上系情報サーバ２３０に保管しておけばいいため、列車内情報サーバ２２０に転送、保管する必要がない。但し、リアルタイムな列車情報８０４は列車内情報サーバ２２０から提供する。
（２）ユニークに定められているＩＣカードＩＤに対応づけて個人ページ（Ｍｙｐａｇｅ８２０）を管理することができる。個人ページへのＵＲＬ（ＭｙＵＲＬ８１１）は、非接触ＩＣカードＲＷ（ＩＣリーダライタ１１０）で読み取ったＩＣカードＩＤを用いてその都度作成されるため、必ず一意に作成される。
（３）一度作成された個人ページへのＵＲＬは、携帯電話１９０に記憶されるため、２回目以降は、非接触カードＲＷに携帯電話１９０をタッチする必要が無い。
（４）ユーザは、２回目以降、情報更新ボタン８２３を押下して地上系情報サーバ２３０により予想された最新の情報を取得するか、非接触ＩＣカードＲＷに再接続（タッチ）して最新情報を取得するかを選択することができる。非接触ＩＣカードＲＷへの再接続が選択された場合は、列車内管理装置２１０で管理されている最新の列車情報８０４に対応して、個人ページへのＵＲＬが最新になる。
（５）地上系情報サーバ２３０は、個人ページ毎のアクセス履歴が記録されるため、リコメンド機能を用いて、過去のアクセス履歴をリコメンドしたＭｙｐａｇｅ８２０を次回接続時に表示させることができる。
（６）アクセス履歴をＩＤ毎のトレース分析やマーケティングデータに利用することができる。
（７）非接触ＩＣカードＲＷを車両内の広告表示機に接続させることにより、当該非接触ＩＣカードＲＷにＩＣカードを接続（タッチ）したときは、個人ページへのＵＲＬと共に、該当の広告の詳細情報を携帯電話１９０に送信し、携帯電話１９０に該当の広告の詳細情報を表示させることができる。広告の内容は列車１００の走行位置に応じて変えることができる。例えば、○○社の広告の場合、Ａ駅−Ｂ駅間を走行中には次の停車駅であるＢ駅の近辺にある△△支店の広告を表示させ、Ｂ駅−Ｃ駅間を走行中には次の停車駅であるＣ駅の近辺にある□□支店の広告を表示させることができる。
（８）列車１００が遅れた場合は、個人ページへのＵＲＬに遅れフラグを付加することで、遅れた列車１００に乗車した人にだけ遅延クーポンを提供することなどができる。
【０１２９】
実施の形態１では、列車１００の乗客に情報を提供するシステムおよび方法について説明しているが、情報を提供する車両は列車１００に限らず、例えば、バスやタクシーでもよいし、車両ではなく船、航空機でもよい。
また、乗客の携帯端末機は、携帯電話１９０に限らず、ＰＤＡ（Ｐｅｒｓｏｎａｌ  Ｄｉｇｉｔａｌ  Ａｓｓｉｓｔａｎｔｓ（登録商標））やモバイル型ノートパソコンでもよい。
【図面の簡単な説明】
【０１３０】
【図１】実施の形態１におけるＩＣリーダライタ１１０が設置されている列車１００内の様子を示す図。
【図２】実施の形態１における情報配信システム２００の構成図。
【図３】実施の形態１における列車内情報サーバ２２０および地上系情報サーバ２３０のハードウェア資源の一例を示す図。
【図４】実施の形態１の情報配信方法におけるユーザの動作を示すフローチャート。
【図５】実施の形態１におけるアクセス画面８１０を示す図。
【図６】実施の形態１におけるＭｙｐａｇｅ８２０を示す図。
【図７】実施の形態１における登録設定画面８３０を示す図。
【図８】実施の形態１の情報配信方法における列車内情報サーバ２２０の動作を示すフローチャート。
【図９】実施の形態１におけるＭｙＵＲＬ８１１のフォーマットを示す図。
【図１０】実施の形態１の情報配信方法における地上系情報サーバ２３０の動作を示すフローチャート。
【図１１】実施の形態１におけるＩＤ管理情報８０６を示す図。
【図１２】実施の形態１におけるコンテンツ管理情報８０７を示す図。
【図１３】実施の形態１における広告管理情報８０８を示す図。
【符号の説明】
【０１３１】
１００  列車、１１０  ＩＣリーダライタ、１２０  表示機、１３０  紙広告、１９０  携帯電話、１９１  ＩＣカード、１９２  ディスプレイ、２００  情報配信システム、２１０  列車内管理装置、２１９  ＴＭ記憶部、２２０  列車内情報サーバ、２２１  対ＲＷ通信部、２２２  電子カード生成部、２２３  対ＴＭ通信部、２２４  表示機制御部、２２９  ＴＩＳ記憶部、２３０  地上系情報サーバ、２３１  Ｗｅｂ通信部、２３２  Ｗｅｂ生成部、２３３  ＩＤ管理部、２３４  コンテンツ選択部、２３９  ＧＩＳ記憶部、２４０  Ｗｅｂサーバ、７１０  ユーザ管理テーブル、７１１  ＩＤ、７１２  パスワード、７１３  ニックネーム、７１４  有効期限、７２０  嗜好管理テーブル、７２１  ＩＤ、７２２  情報ジャンルコード、７３０  アクセス履歴テーブル、７３１  ＩＤ、７３２  アクセス先ＵＲＬ、７３３  アクセス時間、７４０  コンテンツ管理テーブル、７４１  素材コード、７４２  情報ジャンルコード、７４３  タイトル、７４４  内容・データ、７４５  リンク先ＵＲＬ、７４６  配信条件、７４６ａ  配信時間帯、７４６ｂ  列車位置、７４６ｃ  列車番号、７４６ｄ  号車番号、７４７  素材有効期限、７４７ａ  開始、７４７ｂ  終了、７５０  情報ジャンルテーブル、７５１  情報ジャンルコード、７５２  情報ジャンル名、７６０  広告管理テーブル、７６１  素材コード、７６２  広告ジャンルコード、７６３  スポンサーコード、７６４  タイトル、７６５  内容・データ、７６６  リンク先ＵＲＬ、７６７  配信条件、７６７ａ  配信時間帯、７６７ｂ  列車位置、７６７ｃ  列車番号、７６７ｄ  号車番号、７６８  素材有効期限、７６８ａ  開始、７６８ｂ  終了、７７０  広告ジャンルテーブル、７７１  広告ジャンルコード、７７２  広告ジャンル名、７８０  スポンサーテーブル、７８１  スポンサーコード、７８２  スポンサー名、８０１  電子カード、８０２  ブラウザ、８０３  ＩＤ、８０４  列車情報、８０５  表示機提供情報、８０６  ＩＤ管理情報、８０７  コンテンツ管理情報、８０８  広告管理情報、８０９  コンテンツ、８１０  アクセス画面、８１１  ＭｙＵＲＬ、８２０  Ｍｙｐａｇｅ、８２１  クーポン、８２２  登録変更ボタン、８２３  情報更新ボタン、８３０  登録設定画面、８３１  パスワード設定ボタン、８３２  登録決定ボタン、９１１  ＣＰＵ、９１２  バス、９１３  ＲＯＭ、９１４  ＲＡＭ、９１５  通信ボード、９２０  磁気ディスク装置、９２１  ＯＳ、９２３  プログラム群、９２４  ファイル群、９４０  インターネット。
【図１】
0004712064.tif 000002
【図２】
0004712064.tif 000003
【図３】
0004712064.tif 000004
【図４】
0004712064.tif 000005
【図５】
0004712064.tif 000006
【図６】
0004712064.tif 000007
【図７】
0004712064.tif 000008
【図８】
0004712064.tif 000009
【図９】
0004712064.tif 000010
【図１０】
0004712064.tif 000011
【図１１】
0004712064.tif 000012
【図１２】
0004712064.tif 000013
【図１３】
0004712064.tif 000014